(57)【特許請求の範囲】
【請求項１】
本体内に、基材の片面に塗膜を設けた転写テ−プと、転写テ−プの一端部を巻き付けた供給リ−ルと、使用済みの転写テ−プを収納する収納手段と、前記転写塗膜を被転写物に転写するヘッドを配設してなる転写具において、前記転写ヘッドを、転写部とその両側に位置した被転写部に当接して回転するギアを有する回転部とで構成した回転体として弾性体により一体に形成し、本体内に前記回転部のギアの回転を利用して回転可能なギアを有した使用済みのテ−プを収納する収納手段を設け、前記回転部の回転力を、前記回転部のギアによって直接又は一方を回転部のギアに他方を収納手段に設けたギアに噛合する一つ又は複数のギアで構成した伝導手段によって、前記収納手段に伝導させるとともに、前記全てのギアの外径が、転写テープの最大時の外径より小さい外径としたことを特徴とする転写具。
【発明の詳細な説明】
【０００１】
【発明の属する技術分野】
本発明は、転写テ−プの塗膜を紙面等に転写する転写具に関し、さらに詳しくは、回転部の回転を利用して使用済みのテ−プを収納する収納手段を設けた転写具に関する。
【０００２】
【従来技術】
従来より、離型性を有する紙やフィルム等の基材上に修正剤や粘着剤、着色剤等の塗膜を設け、テ−プ状に加工し、紙面等の被転写物に修正剤、粘着剤、着色剤を圧着移動し転写する転写具は知られている。
【０００３】
前記転写具は主として一端部にヘッドを備えた本体内に、供給リ−ルと巻取リ−ルが同一面上に並設および回転可能に配設され、供給リ−ルに巻装した転写テ−プが該ヘッド先端部を経由して折り返し、該折り返し部を紙面等の被転写物に押し当てた状態で移動させることにより、テ−プ基材上の修正剤や粘着剤等の塗膜を紙面に転写し、前記転写テ−プの移動により供給リ−ルを駆動させ、この時、供給リ−ルに設けたギアが回転し、同時に巻取リ−ルに設けたギアが噛合し、巻取リ−ルを回転させることにより転写後のテ−プを巻き取るものが一般的である。
【０００４】
【発明が解決しようとする課題】
しかし、こうした構造では、移動に対してヘッドを密着させるため、本体角度や移動方向の直進性が要求される。また、供給リ−ルの駆動を巻取リ−ルに伝達して巻取リ−ルを駆動させるためギアをテ−プ径より大きくする必要があるため、本体が大きくなりデザインの自由度が少なくなるという問題があった。
【０００５】
本発明の目的は、確実に転写することができ、デザインの自由度を向上した転写具を簡単な構造で提供することである。
【０００６】
【課題を解決するための手段】
前記目的を達成するために本発明では、本体内に、基材の片面に塗膜を設けた転写テ−プと、転写テ−プの一端部を巻き付けた供給リ−ルと、使用済みの転写テ−プを収納する収納手段と、前記転写塗膜を被転写物に転写するヘッドを配設してなる転写具において、前記転写ヘッドを、転写部とその両側に位置した被転写部に当接して回転するギアを有する回転部とで構成した回転体として弾性体により一体に形成し、本体内に前記回転部のギアの回転を利用して回転可能なギアを有した使用済みのテ−プを収納する収納手段を設け、前記回転部の回転力を、前記回転部のギアによって直接又は一方を回転部のギアに他方を収納手段に設けたギアに噛合する一つ又は複数のギアで構成した伝導手段によって、前記収納手段に伝導させるとともに、前記全てのギアの外径が、転写テープの最大時の外径より小さい外径とした構成とする。
【０００９】
【発明の実施の形態】
収納手段には、テ−プを巻き取る巻取リ−ルや２つの送り出し部材によりテ−プを挟んで送り出す方法等、テ−プを収納する公知な方法を適宜選択すればよい。また、回転部の回転を利用して使用済みのテ−プを収納する収納手段に送る方法は、回転部と収納手段間を互いに噛み合うギアを設けた歯車機構やベルト等により繋ぐ機構等、互いに連動して回転する公知な方法を適宜選択すればよい。回転部の回転を移用して使用済のテ−プを収納するため、従来技術のようにギアをテ−プ径より大きくする必要がないため、デザインの自由度が向上する。
【００１０】
ヘッドまたはその近傍に回転部を設けるが、その形状は筒状、多角柱状等、転写時の移動により回転する形状を適宜選択すればよい。回転部が回転することにより本体角度や移動方向の設定が容易になる。
【００１１】
ヘッド部は中央に転写部、その両側に回転部を配設することにより、転写部の形状に係わらず、回転部の回転のみを利用して使用済みのテ−プを収納する収納手段を駆動することができる。また、回転部の外径および転写部の外径は、転写時に双方が被転写面に当接するように略同一径に設定する。
【００１２】
弾性体の材質は、エラストマ−（スチレン系、オレフィン系、エステル系、ニトリル系、ウレタン系、塩化ビニ−ル系等）、シリコ−ンゴム、その他合成ゴム、天然ゴム、コルク等の木質片等、公知である弾性体を適宜選択すればよい。また、ヘッドの少なくとも一部を弾性体で形成することにより、被転写面に多少の凹凸を生じている場合、または転写角度を厳密に設定しなくても押圧作動によって弾性体が圧縮変形することにより確実に塗膜を転写することができる。
【００１３】
供給リ−ルおよび／または収納手段の逆回転防止のための機構、例えば、正回転では係止せず逆回転のみに係止する係止部および係止爪による機構等、公知である逆回転防止のための機構を適宜選択して設けることができる。回転防止機構を設けることにより、誤って転写方向と反対に圧縮移動した場合でもリ−ルが回転することが無いので好ましい。
【００１４】
転写テ−プの基材には、コンデンサ−紙、グラシン紙等の紙基材やポリエステルフィルム、セルロ−スフィルム、アセテ−トフィルム、ポリエチレンフィルム、ポリプロピレンフィルム、ポリイミドフィルム、ポリエチレンナフタレ−トフィルム等のプラスチック基材等、既に公知である基材を適宜選択すればよい。また、基材の片面に設ける塗膜も基材に合わせて、修正剤、粘着剤、着色剤等を適宜選択すればよい。
【００１５】
また、基材と塗膜の間に離型層を設けても良いし、基材自体を離型処理しても良い。さらには最外層に粘着層を設けるなど、基材と塗膜以外に他の機能を持った層を設けることができる等、公知の転写具に用いている転写テ−プを使用することができる。
【００１６】
本体には透明または不透明なもののどちらを用いてもよいが、作業性を考慮すると透明なもののほうが、テ−プの残量や作業場所の確認が容易にできるので好ましい。
【００１７】
【実施例】
本発明の実施例を図面を用いて説明する。
図１、２、３に示す第１の実施例における転写具１は、本体２内に配設した支柱７、８に離型処理を施したポリエステルフィルムからなる基材に加圧接着性を有するアクリル系の粘着剤層を有する転写テ−プ６を巻装した供給リ−ル３と、転写後の転写テ−プ６を巻き取る巻取リ−ル４を回転自在に支持するとともに、オレフィン系エラストマ−からなる円筒状のヘッド５を支柱５ｄにより回転自在に本体２の先端から突出するように突設してなる粘着具である。ヘッド５は、中央に転写部５ａおよび両側面にギア部５ｃを有する回転部５ｂを一体に有し、回転部外径と、転写部外径を略同一径に形成する。
【００１８】
転写テ−プ６は、供給リ−ル３から繰り出し、ガイドピン９ａ、９ｂ、９ｃにより誘導され、ヘッド５の転写部５ａを通過して巻取リ−ル４に経由している。
【００１９】
巻取リ−ル４の逆回転防止のためにラチェット等の公知な逆転防止機構を使用することができるが、本実施例では、本体内壁に係止部（図示せず）を設け、巻取リ−ル４に前記係止部に係脱可能な係止爪（図示せず）を設ける。前記係止部と係止爪は巻取リ−ル４の巻取方向（時計回り）には係止せず、反対方向のみに係止するように構成する。逆転防止のための機構の配設位置は、巻取リ−ル４に限定されるものではなく、回転部５ｂの回転に伝導して回転する部材、例えば収納手段や伝導部材等に適宜選択して設けることができる。
【００２０】
転写時にはヘッド５の転写部５ａを被転写面１０の転写箇所に押し当て、移動（矢印Ａ１方向）することにより転写テ−プ６の粘着剤層の転写層は基材より剥離して被転写面１０の転写箇所に転写される。この時、本体２を多少傾けて押し当てても弾性体の圧縮変形で吸収できる。
【００２１】
ギア５ｃを有する回転部５ｂは転写時の移動と同時に（時計回り）回転する。回転部５ｂのギア５ｃは、伝導手段として支柱に回転自在に設けた第一伝導部材１１のギア１１ａに噛合し第一伝導部材１１ａを回転（反時計回り）させる。同様に支柱に回転自在に設けた第二、第三伝導部材１２、１３のギア１２ａ、１３ａにより、それぞれが連動して回転（時計回り、反時計回り）する。第三伝導部材１３のギア１３ａは巻取リ−ル４のギア４ａに噛合し巻取リ−ル４を回転（時計回り）させ使用済みの転写テ−プ６を巻き取る。転写時のテ−プの移動により、供給リ−ル３から未使用の転写テ−プ６が搬送され、ヘッド５の転写部５ａには常に未使用の転写テ−プが搬送される。
【００２２】
前記転写時に、回転部５ｂの回転力は一定であるのに対し、巻取リ−ル４のテ−プ外径は、経時的に変化して大きくなる。このため、巻取リ−ル４の巻取速度が回転部５ｂの回転速度より経時的に速くなっていくので回転部５ｂおよび巻取リ−ルの回転速度は同期しなくなるため、巻取リ−ル４に加わる回転トルクも次第に大きくなっていく。
【００２３】
巻取リ−ル４は、ギア４ａを有する回転部材４ｂとテ−プを巻装した巻取部材４ｃとからなり、回転部材４ｂと巻取部材４ｃ間に摩擦部材４ｄを装着する。前記回転トルクが摩擦部材４ｄの摩擦力を上回ることにより、巻取部材４ｃが滑り回転するので回転部材４ｂの回転速度と巻取リ−ル４の巻取速度を同期することができる。尚、回転速度と巻取速度を同期させる手段は、前記した機構の手段のみではなく、公知である回転速度を同期させる手段を適宜選択して用いることが出来る。
【００２４】
図４、図５に示す第２の実施例における転写具２１は、本体２２内に配設した支柱２７に離型処理を施したポリエステルフィルムからなる基材に白色の修正塗料層の転写層を形成し、さらにその上に加圧接着性を有するアクリル系の粘着剤層を有する転写テ−プ２６を巻装した供給リ−ル２３を回転自在に支持するとともに、ウレタン系エラストマ−からなる円柱状のギア部２５ｃを有するヘッド２５を支柱２５ｄに回転自在に本体２２の先端から突出するように突設してなる修正具である。ヘッド２５は、中央が転写部２５ａとなりの両側面が回転部２５ｂとなる。
【００２５】
転写テ−プ２６は、供給リ−ル２３から繰り出し、ガイドピン２９ａ、２９ｂ、２９ｃにより誘導され、ヘッド２５の転写部２５ａを経由しギア１５ａ、１６ａを有する挟部材１５、１６により収納室１４に送り出される。
【００２６】
挟部材１６の逆回転防止のために実施例１と同様に本体内壁に係止部（図示せず）を設け、挟部材１６に前記係止部に係脱可能な係止爪（図示せず）を設ける。前記係止部と係止爪は供給リ−ルの供給方向（時計回り）には係止せず、反対方向のみに係止するように構成する。
【００２７】
転写時にはヘッド２５の転写部を被転写面３０の転写箇所に押し当て、（矢印Ａ２方向）移動することにより転写テ−プ２６の修正塗料層の転写層は粘着剤層により基材より剥離して被転写面３０の転写箇所に転写される。この時、本体２２を多少傾けて押圧しても弾性体の圧縮変形で吸収できる。
【００２８】
ヘッド２５は転写時の移動と同時に（時計回り）回転する。回転部のギア２５ｃは、伝導手段として本体２２内に回転自在に設けた第一伝導部材３１のギア３１ａに噛合し第一伝導部材３１を回転（反時計回り）させる。同様に設けた第二、第三伝導部材３２、３３のギア３２ａ、３３ａにより、それぞれが連動して回転（時計回り、反時計回り）する。第三伝導部材３３のギア３３ａは挟部材１５のギア１５ａに噛合し挟部材１５を回転（時計回り）させる。また、挟部材１５の回転に伴いギア１５ａ、１６ａが噛合して、挟部材１６を回転（反時計回り）させ使用済みの転写テ−プ２６を挟み込み収納室１４に送り出す。転写時のテ−プの移動により、供給リ−ル２３から未使用の転写テ−プ２６が搬送されヘッド２５の転写部には常に未使用の転写テ−プが搬送される。
【００２９】
挟部材１５、１６を設けることにより、転写テ−プ２６の送り量が一定になるので好ましい。さらに本体に使用後の転写テ−プを収容する収容室１４を設けることにより、従来必要であった巻取リ−ルが必要でなくなるため、部品点数の減少に繋がりコストを低減することができるので好ましい。
【００３０】
図６、図７に示す第３の実施例における転写具４１は、本体４２内に配設した支柱４７、４８に離型処理を施したポリエステルフィルムからなる基材に白色の修正塗料層の転写層を形成し、さらにその上に加圧接着性を有するアクリル系の粘着剤層を有する転写テ−プ４６を巻装した供給リ−ル４３と、転写後の転写テ−プ４６を巻き取る巻取リ−ル４４を回転自在に支持するとともに、オレフィン系エラストマ−からなる八角柱状のヘッド４５を支柱４５ｄに回転自在に本体４２の先端から突出するように突設してなる修正具である。ヘッド４５は、中央が転写部４５ａとなり両側面が回転部４５ｂとなる。
【００３１】
巻取リ−ル４４の逆回転防止のために実施例１、２と同様に本体内壁に係止部（図示せず）を設け、供給リ−ルに前記係止部に係脱可能な係止爪（図示せず）を設ける。前記係止部と係止爪は巻取リ−ルの巻取方向（時計回り）には係止せず、反対方向のみに係止するように構成する。
【００３２】
転写テ−プ４６は、供給リ−ル４３から繰り出し、ガイドピン４９ａ、４９ｂにより誘導され、転写部４５ａを通過して巻取リ−ル４４に経由している。
【００３３】
転写時には転写部４５ａを被転写面５０の転写箇所に押し当て移動（矢印Ａ３方向）することにより転写テ−プ４６の修正塗料層の転写層は粘着剤層により基材より剥離して被転写面５０の転写箇所に転写される。この時、本体４２を多少傾けて押圧しても弾性体の圧縮変形で吸収できる。
【００３４】
ヘッド４５は転写時の移動と同時に（時計回り）回転する。ヘッド４５の回転は、伝導手段としてヘッド４５と巻取リ−ル４４を繋ぐベルト１７により巻取リ−ル４４を回転させ、使用済みの転写テ−プ４６を巻き取る。転写時のテ−プの移動により、供給リ−ル４３から未使用の転写テ−プ４６が搬送され、ヘッド４５の転写部には常に未使用の転写テ−プが搬送される。また、実施例１と同様に巻取リ−ル４４は、回転部材４４ａとテ−プを巻装した巻取部材４４ｂとからなり、回転部材４４ａと巻取部材４４ｂ間に摩擦部材４４ｃを装着する。前記回転トルクが摩擦部材４４ｃの摩擦力を上回ることにより、巻取部材４４ｂが滑り回転するので回転部材４４ａの回転速度と巻取リ−ル４４の巻取速度を同期させている。
【００３５】
尚、上記実施例の転写具に用いたテ−プは特に限定されるものではなく、公知である転写具に用いるテ−プを適宜選択することができ、さらに他の機能を持ったテ−プを用いることにより粘着具、修正具、着色具等の様々な転写具に使用できることは言うまでもない。
【００３６】
【発明の効果】
本発明の転写具は、回転部を設けることにより、本体角度や直進性の設定が容易にでき、さらに回転部の回転を利用してテ−プを収納する収納手段を駆動することにより、デザインの自由度が向上する転写具を簡単な構造で提供することできる利点がある。また、本体を多少傾斜して押圧しても弾性体の圧縮変形により吸収できるので、確実な押圧力を与えることができるので、確実に塗膜を転写できる利点がある。
【図面の簡単な説明】
【図１】本発明の第１の実施例を示す縦断面図である。
【図２】本発明の第１の実施例のヘッド拡大縦断面図である。
【図３】本発明の第１の実施例の巻取リ−ル拡大縦断面図である。
【図４】本発明の第２の実施例を示す縦断面図である。
【図５】本発明の第２のヘッド拡大縦断面図である。
【図６】本発明の第３の実施例を示す縦断面図である。
【図７】本発明の第３のヘッド拡大縦断面図である。
【図８】本発明の第３の実施例の巻取リ−ル拡大縦断面図である。
【符号の説明】
１、２１、４１  転写具
２、２２、４２  本体
３、２３、４３  供給リ−ル
４、４４  巻取リ−ル
５、２５、４５  ヘッド
５ａ、２５ａ、４５ａ  転写部
６、２６、４６  転写テ−プ
７、８、２７、４７、４８  支柱
９ａ、９ｂ、９ｃ、２９ａ、２９ｂ、２９ｃ、４９ａ、４９ｂ  ガイドピン
１０、３０、５０  被転写面
１１、３１  第一伝導部材
１２、３２  第二伝導部材
１３、３３  第三伝導部材
１４  収納室
１５、１６  挟部
１７  ベルト
１１ａ、１２ａ、１３ａ、３１ａ、３２ａ、３３ａ  ギア
【図１】
0003982778.tif 000002
【図２】
0003982778.tif 000003
【図３】
0003982778.tif 000004
【図４】
0003982778.tif 000005
【図５】
0003982778.tif 000006
【図６】
0003982778.tif 000007
【図７】
0003982778.tif 000008
【図８】
0003982778.tif 000009